(57)【要約】【課題】  企業、団体、商店等のコーポレートイメージの確立及び向上のためのビジネスツールとして利用できるデジタル名刺管理システムを提供する。【解決手段】  名刺の表示項目データ、レイアウトデータ及びデザインデータを各名刺ごとに記憶するデジタル名刺データベースと、前記デジタル名刺データベースに記憶された名刺の表示項目データ、レイアウトデータ及びデザインデータを利用して名刺イメージを生成する表示画面生成部を備えたサーバ装置と、を含むデジタル名刺管理システム。【選択図】  図４
2005242885.tif 000002
【特許請求の範囲】
【請求項１】
名刺の表示項目データ、レイアウトデータ及びデザインデータを各名刺ごとに記憶するデジタル名刺データベースと、
前記デジタル名刺データベースに記憶された名刺の表示項目データ、レイアウトデータ及びデザインデータを利用して名刺イメージを生成する表示画面生成部を備えたサーバ装置と、を含むデジタル名刺管理システム。
【請求項２】
前記表示画面生成部は、さらに、前記名刺イメージに対する操作ツール画面を前記名刺イメージに付随させて生成することを特徴とする請求項１に記載のデジタル名刺管理システム。
【請求項３】
前記サーバ装置は、前記デジタル名刺データベース内のデータを検索する検索部をさらに備えていることを特徴とする請求項１又は２に記載のデジタル名刺管理システム。
【請求項４】
前記サーバ装置は、前記表示画面生成部により生成した名刺イメージをクライアント装置において表示させることを特徴とする請求項１から３のいずれか１項に記載のデジタル名刺管理システム。
【請求項５】
名刺の表示項目データ、レイアウトデータ及びデザインデータを各名刺ごとに記憶するデジタル名刺データベースと、
名刺の発行元である企業の情報を記憶する企業情報データベースと、
前記デジタル名刺データベースに記憶された名刺の表示項目データ、レイアウトデータ及びデザインデータと、前記企業情報データベースに記憶された企業データとを利用して名刺イメージを生成する表示画面生成部を備えたサーバ装置と、を含むデジタル名刺管理システム。
【請求項６】
前記表示画面生成部は、さらに、前記企業情報データベースに記憶された企業データを利用して企業情報表示画面を生成することを特徴とする請求項５に記載のデジタル名刺管理システム。
【請求項７】
前記表示画面生成部は、さらに、前記名刺イメージに対する操作ツール画面を前記名刺イメージに付随させて生成することを特徴とする請求項６に記載のデジタル名刺管理システム。
【請求項８】
前記サーバ装置は、前記デジタル名刺データベース内のデータを検索する検索部をさらに備えていることを特徴とする請求項６又は７に記載のデジタル名刺管理システム。
【請求項９】
前記サーバ装置は、前記表示画面生成部により生成した名刺イメージと企業情報表示画面とをクライアント装置において表示させることを特徴とする請求項６から８のいずれか１項に記載のデジタル名刺管理システム。
【請求項１０】
前記表示画面生成部は、さらに、前記名刺イメージを回転式名刺ホルダ上に配置した表示画面を生成することを特徴とする請求項１から９のいずれか１項に記載のデジタル名刺管理システム。
【請求項１１】
請求項１０に記載のデジタル名刺管理システムにおいて、
前記名刺イメージを含む回転式名刺ホルダとともに、回転式名刺ホルダに対する操作部を含む表示画面を生成し、前記操作部により前記回転式名刺ホルダ上に表示される名刺イメージを切り替えることができることを特徴とするデジタル名刺管理システム。
【発明の詳細な説明】
【技術分野】
【０００１】
本発明は、デジタルデータとして構成される名刺情報を管理するコンピュータシステムに関し、特に、企業、団体、商店等のコーポレートイメージの確立及び向上のためのビジネスツールとして利用できるデジタル名刺管理システムに関するものである。
【背景技術】
【０００２】
従来、ビジネスマンは、会社名、部署、役職、社員名、住所、電話番号、ファックス番号、電子メールアドレス等が印刷された紙製の名刺を携帯しており、営業、商談、取引等の現場で名刺の交換を行っていた。名刺を受け取った者は、これを名刺ホルダー等に入れて保管したり、名刺に記載された各種情報を電子手帳、携帯電話、アドレス管理ソフトなどにデータ入力したりするのが一般的であった。しかしながら、名刺ホルダー等により名刺を管理している場合には、所有する名刺の数が多くなると名刺の検索に時間がかかってしまい、また、名刺に記載された情報を電子機器等にデータ入力する作業は非常に面倒なものであった。
【０００３】
そこで、従来のように紙製名刺を交換する代わりに、名刺に記載される情報を電子データ化して交換するデジタル名刺の概念が提案されている。その一例として、特許文献１に記載の電子名刺情報交換システムは、名刺情報を記憶したメモリと赤外線通信手段とを備えたカードタイプの電子名刺を用いて、データ通信により名刺情報を交換するものである。このシステムによれば、名刺情報の交換、管理、更新等を効率的に行うことができ、さらに、通常の名刺情報に加えて、会社案内等の情報を授受することも可能であるとされている。
【０００４】
また、ビジネスマンが特許文献１に記載したような電子名刺カードを実際に携帯しなくとも、名刺情報を電子データ化したものをＰＣ端末やサーバに格納しておき、必要に応じて画面上に表示させることにより、名刺情報を容易に授受する技術が提案されている。その一例として、特許文献２に記載の名刺情報活用方法では、名刺情報を電子データ化したものを情報端末に記憶し、イメージ画像として表示し、さらに名刺情報の各項目を関連情報のデータベースと関連付けたことを特徴としている。
【０００５】
さらに、特許文献３には携帯電話から利用できる名刺情報サービス提供方法が開示されており、特許文献４には名刺情報の電子データをネットワークを通じて印刷会社に送信し名刺印刷の注文を行うことができる名刺管理サーバシステムが開示されている。また、紙製名刺をスキャナ等で読み取りＯＣＲ等で文字認識することにより、紙製名刺を電子データ化してＰＣ等に取り込む技術は広く知られている（特許文献２及び５等）。
【０００６】
非特許文献１は、企業情報を名刺イメージとともに表示するＷＥＢサイトである。その表示画面の一例を図１２に示す。この表示画面では、企業の名称、住所、電話番号、メールアドレス等を表した名刺イメージと、名刺イメージに対してデータ取得、印刷、メール送信等の操作を行う操作ツールと、企業情報メニューと、企業情報とが表示されている。このように企業情報を名刺イメージとともに表示することにより、ユーザはその企業の情報を容易に取得できる上、企業イメージが強く印象付けられることとなる。
【特許文献１】特開２００１−２２９３５１号公報
【特許文献２】特開２００３−３１６８２６号公報（図１等）
【特許文献３】特開２００３−３３１０４２号公報
【特許文献４】特開２００３−１５０７５５号公報
【特許文献５】特開２００３−２９６３５３号公報
【非特許文献１】ＷＥＢサイト  企業名片（http://corp.3721.com/）
【発明の開示】
【発明が解決しようとする課題】
【０００７】
ところで、各企業は自社のロゴなどを付した独自のデザインの名刺を作成しており、これを対外的に配布しているため、名刺は企業の顔とも言うべきビジネスツールであり、その企業のコーポレートイメージ形成に大きな役割を果たしているものと考えられる。そのような観点からすると、特許文献２の情報端末の表示画面や、非特許文献１のＷＥＢサイトにおいて表示される名刺イメージは、その企業の名刺そのもののイメージであることが望ましい。
【０００８】
しかしながら、特許文献２においては、名刺情報が一般的な名刺レイアウトによって表示されるのみであり、非特許文献１のＷＥＢサイトでは、予め決められた数種類の名刺レイアウトでしか表示されないものとなっている。また、上記した他の先行技術文献においても、各企業の名刺そのものを表すデジタル名刺データを取り扱うことは記載されていない。
【０００９】
上記したように、各企業は、多大なコストをかけて独自のデザインの名刺を作成し頒布することにより、自社のコーポレートイメージの確立及び向上を図っているのであって、名刺イメージ上にはその企業のコーポレートイメージが化体しているものと考えられる。それにもかかわらず、非特許文献１のＷＥＢサイトにあるように、自社の名刺とは異なる名刺イメージを表示してＰＲ活動を行ったり、これに特許文献４の技術を応用して、自社の名刺とは異なる名刺を印刷して頒布したりすることは、かえってコーポレートイメージの確立及び向上を妨げることになってしまう。
【００１０】
本発明は、このような実情に鑑みてなされたものであり、企業、団体、商店等のコーポレートイメージの確立及び向上のためのビジネスツールとして利用できるデジタル名刺管理システムを提供しようとするものである。
【課題を解決するための手段】
【００１１】
上記解決課題に鑑みて鋭意研究の結果、本発明者は、各企業及びその従業員に関する情報と各企業の名刺のレイアウトデータやデザインデータとをデータベースに記憶しておき、これらのデータに基づいてデジタル名刺を生成することにより、各企業の名刺そのもののイメージをコンピュータ画面等に表示させることに想到した。
【００１２】
すなわち、本発明は、名刺の表示項目データ、レイアウトデータ及びデザインデータを各名刺ごとに記憶するデジタル名刺データベースと、前記デジタル名刺データベースに記憶された名刺の表示項目データ、レイアウトデータ及びデザインデータを利用して名刺イメージを生成する表示画面生成部を備えたサーバ装置と、を含むデジタル名刺管理システムを提供するものである。
【００１３】
本発明のデジタル名刺管理システムにおいて、前記表示画面生成部は、さらに、前記名刺イメージに対する操作ツール画面を前記名刺イメージに付随させて生成することを特徴とする。この操作ツールによりユーザは、例えば、表示された名刺イメージを印刷したり、表示項目をクライアント装置のアドレス管理ソフトに保存したり、その名刺の所有者にメール送信をしたりすることができる。
【００１４】
本発明のデジタル名刺管理システムにおいて、前記サーバ装置は、前記デジタル名刺データベース内のデータを検索する検索部をさらに備えていることを特徴とする。これにより、ユーザが企業名、個人名、キーワード等を入力すると、該当する名刺イメージが生成され表示される。
【００１５】
本発明のデジタル名刺管理システムにおいて、前記サーバ装置は、前記表示画面生成部により生成した名刺イメージをクライアント装置において表示させることを特徴とすることを特徴とする。
【００１６】
本発明は、また、名刺の表示項目データ、レイアウトデータ及びデザインデータを各名刺ごとに記憶するデジタル名刺データベースと、名刺の発行元である企業の情報を記憶する企業情報データベースと、前記デジタル名刺データベースに記憶された名刺の表示項目データ、レイアウトデータ及びデザインデータと、前記企業情報データベースに記憶された企業データとを利用して名刺イメージを生成する表示画面生成部を備えたサーバ装置と、を含むデジタル名刺管理システムを提供するものである。
【００１７】
本発明のデジタル名刺管理システムにおいて、前記表示画面生成部は、さらに、前記企業情報データベースに記憶された企業データを利用して企業情報表示画面を生成することを特徴とする。
【００１８】
本発明のデジタル名刺管理システムにおいて、前記表示画面生成部は、さらに、前記名刺イメージに対する操作ツール画面を前記名刺イメージに付随させて生成することを特徴とする。
【００１９】
本発明のデジタル名刺管理システムにおいて、前記サーバ装置は、前記デジタル名刺データベース内のデータを検索する検索部をさらに備えていることを特徴とする。
【００２０】
本発明のデジタル名刺管理システムにおいて、前記サーバ装置は、前記表示画面生成部により生成した名刺イメージと企業情報表示画面とをクライアント装置において表示させることを特徴とする。
【００２１】
本発明のデジタル名刺管理システムにおいて、前記表示画面生成部は、さらに、前記名刺イメージを回転式名刺ホルダ上に配置した表示画面を生成することを特徴とすることを特徴とする。また、この回転式名刺ホルダとともに、回転式名刺ホルダに対する操作部を含む表示画面を生成し、前記操作部により前記回転式名刺ホルダ上に表示される名刺イメージを切り替えることができるようにしてもよい。
【発明の効果】
【００２２】
以上、説明したように、本発明のデジタル名刺管理システムによれば、コンピュータ画面上に企業、団体、商店等のデジタル名刺を各企業等のレイアウト及びデザインによって表示されるので、企業等はこれをＷＥＢサイトなどに用いることにより、コーポレートイメージの確立及び向上を図ることができる。また、本発明のデジタル名刺管理システムに企業情報データベースを含めることにより、デジタル名刺とともに会社概要などの企業情報をコンピュータ画面上に表示することができる。このようなシステムをＷＥＢ上に構築することより、例えば、企業情報のポータルサイトを構築することもできる。
【００２３】
また、本発明のデジタル名刺管理システムによれば、特定の企業の特定の従業員を検索し、その従業員のデジタル名刺を表示させることができるので、従業員の在籍確認を行うことができる。従来の紙製名刺は多量に配布されるが、配布された先で悪用されたり、従業員自身が悪用したりする恐れがないわけではない。本発明では、デジタル名刺はサーバで一括管理されるため、表示されるデジタル名刺の内容は従来の紙製名刺よりも信頼性が高いものとなっている。また、従業員の異動や退職、組織改変等に応じてデータ更新を迅速に行うことにより、デジタル名刺の信頼性をさらに高めることができる。
【発明を実施するための最良の形態】
【００２４】
以下、添付図面を参照しながら、本発明のデジタル名刺管理システムを実施するための最良の形態を詳細に説明する。図１〜図１１は、本発明の各実施形態を例示する図であり、これらの図において、同一の符号を付した部分は同一物を表わし、基本的な構成及び動作は同様であるものとする。
【００２５】
[第１実施形態]
図１は、本発明のデジタル名刺管理システムの第１実施形態の全体構成を示す概略図である。図１において、本実施形態のデジタル名刺管理システムは、サーバ装置１００とデジタル名刺データベース１２０と、クライアント装置１４０とから構成されている。これらを接続するネットワークは、インターネット、ＷＡＮ、ＬＡＮ、ＶＰＮ（Virtual Private Network）等である。各クライアント装置１４０は、一般的なパーソナルコンピュータ（ＰＣ）や、携帯電話端末、ＰＤＡ（Personal Digital Assistant）などから構成されるものであり、ＷＥＢブラウザ等の一般的な表示用プログラムを備えているものとする。
【００２６】
図２は、本実施形態のデジタル名刺管理システムのサーバ装置１００の内部構成を概略的に示す機能ブロック図である。図２において、サーバ装置１００は、主制御部１０１と、ＲＯＭ１０２と、ＲＡＭ１０３と、ハードディスク１０４と、ネットワークインタフェース１０５と、表示画面生成部１０６と、データベース検索部１０７と、データベース制御部１０８と、操作入力部１０９とを備えている。
【００２７】
サーバ装置１００の主制御部１０１は、ＣＰＵやＭＰＵなどから構成される処理装置であり、サーバ装置１００の各構成部分の動作を制御し、所定の演算処理を行い、各構成部分間のデータ通信を制御する。ＲＯＭ１０２は、半導体メモリ素子などから構成される読み取り専用メモリであり、主制御部１０１の動作用プログラムや、制御データ等の固定データなどを記憶している。ＲＡＭ１０３は、半導体メモリ素子などから構成される書き換え可能なメモリであり、主制御部１０１が利用するデータ等を一時的に記憶する。例えば、ＳＤＲＡＭ、ＥＰＲＯＭ（Erasable Programmable ROM）やＥＥＰＲＯＭ（Electrically Erasable Programmable ROM）などの半導体メモリ素子を用いることができる。これにより、主制御部１０１は、ＲＯＭ１０２に記憶された動作用プログラムに従い、ＲＡＭ１０３をワーキングメモリとして使用して、必要な制御、演算及びデータ送受信の処理を実行することができる。
【００２８】
ハードディスク１０４は、磁気ディスクなどから構成される不揮発性メモリであり、サーバ装置１００の動作に用いる各種データや制御用プログラム、各種設定情報などを記憶している。
【００２９】
ネットワークインタフェース１０５は、サーバ装置１００がネットワークを通じてクライアント装置１４０と通信するためのインタフェースであり、例えば、ネットワークがインターネットである場合には、ＴＣＰ／ＩＰ等のプロトコルを利用して通信を行うためのＮＩＣ（Network Interface Card）などのネットワークアダプタ及びそのドライバソフトウェアに相当するものである。
【００３０】
データベース制御部１０８は、デジタル名刺データベース１２０を操作するための基本的なデータベース管理システム（ＤＢＭＳ）である。主制御部１０１は、データベース制御部１０８を介して、デジタル名刺データベース１２０のデータの追加、更新、削除等の操作を行うことができる。データベース検索部１０７は、クライアント装置１４０から入力された情報に基づいて、デジタル名刺データベース１２０のデータを検索する処理部である。
【００３１】
表示画面生成部１０６は、クライアント装置１４０においてデジタル名刺を表示する画面データを生成し、これをクライアント装置１４０に送信する処理部である。デジタル名刺の表示画面は、データベース検索部１０７による検索結果に基づいてデジタル名刺データベース１２０から取得したデータに基づいて生成される。
【００３２】
操作入力部１０９は、名刺管理システムの管理者等がサーバ装置１００及びデジタル名刺データベース１２０に対して直接操作を行うためのユーザインタフェースを提供するものである。操作を行うための入力装置として、キーボードやマウスなど（図示せず）を用いることができる。
【００３３】
デジタル名刺データベース１２０は、本発明のデジタル名刺管理システムにおいて取り扱うデジタル名刺に関して、デジタル名刺上に表示される情報やそのレイアウト、デザイン等のデータを記憶している。以下では、デジタル名刺データベース１２０をリレーショナル型のデータベース（ＲＤＢ）として構成する例を説明するが、本発明はこの構成に限定されるものではない。
【００３４】
図３は、デジタル名刺データベース１２０に記憶されている名刺データのテーブル構成例を示す図である。図３において、名刺データテーブルは、名刺コード、企業名、部署名、役職、氏名等のデジタル名刺上に表示される情報をデータフィールドとして含んでいる。名刺データテーブルでは名刺コードが主キーであり、各レコードは名刺コードにより一意に識別される。また、各レコードは、デジタル名刺に表示されるときに適用されるレイアウトデータ及びデザインデータと関連付けられている。レイアウトデータ及びデザインデータは、それぞれデジタル名刺データベース１２０内の別のテーブルに格納されているものとする。
【００３５】
図４及び図５は、上記したデジタル名刺データベース１２０内の名刺データ等からデジタル名刺の表示画面を生成する方法について模式的に示す図である。図４及び図５に示すように、デジタル名刺のレイアウトデータは、デジタル名刺の表示画面に名刺データの各項目をどのようにレイアウトするかを示すデータである。デジタル名刺のデザインデータは、名刺データの各項目の装飾（書体、サイズ、フォント、色など）や、背景模様、背景色などのデザインに関するデータである。レイアウトデータ及びデザインデータは、例えば、ＸＭＬやＨＴＭＬなどのマークアップ記述言語によって構成することができる。尚、図５には、本実施形態のデジタル名刺管理システムを応用して、ショップカードの表示画面を生成する例を示している。
【００３６】
サーバ装置１００の表示画面生成部１０６は、デジタル名刺データベース１２０の名刺データテーブルの１レコードデータに、それに関連付けられたレイアウトデータ及びデザインデータを適用することにより、図４又は図５に示すようにして、デジタル名刺の表示画面のデータを生成することができる。尚、デジタル名刺の表示サイズ（縦×横のピクセル数等）、文字の縦書き又は横書き、画像のサイズ変更などはレイアウトデータ及びデザインデータにおいて適宜指定することができる。また、名刺データテーブルの１レコードデータから、名刺の表面及び裏面をそれぞれ生成するようにしてもよい。また、図４に示すデジタル名刺上のメールアドレスや図５に示すデジタル名刺上のＵＲＬにはハイパーリンクを付することもできる。
【００３７】
以上のように構成された本発明のデジタル名刺管理システムにおいて、ユーザは、クライアント装置１４０を用いてサーバ装置１００にアクセスし、企業名や個人名などを指定して所望のデジタル名刺をクライアント装置１４０の表示画面上に表示させることができる。尚、デジタル名刺の検索は、サーバ装置のデータベース検索部１０７によって行われる処理であり、デジタル名刺データベース１２０の名刺データテーブルに含まれるあらゆるワードに対して検索をすることができる。
【００３８】
尚、本実施形態では、図１に示すように、クライアント装置１４０がネットワークを通じてデジタル名刺管理システムのサーバ装置に１００に要求を送信し、デジタル名刺の表示画面データを取得して、クライアント装置１４０の表示画面上でデジタル名刺を表示する利用形態を示しているが、本発明はこれに限定されるわけではなく、例えば、サーバ装置１００を直接操作して、サーバ装置１００に設けた表示部においてデジタル名刺を表示させるような利用形態も可能である。
【００３９】
[第２実施形態]
図６は、本発明のデジタル名刺管理システムの第２実施形態の全体構成を示す概略図である。図６において、本実施形態のデジタル名刺管理システムは、サーバ装置１００とデジタル名刺データベース１２０と、企業情報データベース１３０と、クライアント装置１４０とから構成されている。これらのうち、クライアント装置１４０及びネットワークについては、第１実施形態のものと同様である。
【００４０】
図７は、本実施形態のデジタル名刺管理システムのサーバ装置１００の内部構成を概略的に示す機能ブロック図である。図７において、サーバ装置１００は、主制御部１０１と、ＲＯＭ１０２と、ＲＡＭ１０３と、ハードディスク１０４と、ネットワークインタフェース１０５と、表示画面生成部１０６と、データベース検索部１０７と、データベース制御部１０８と、操作入力部１０９とを備えている。これらのうち、表示画面生成部１０６及びデータベース検索部１０７以外の構成部分については、第１実施形態のものと同様である。
【００４１】
サーバ装置１００のデータベース検索部１０７は、クライアント装置１４０から入力された情報に基づいて、デジタル名刺データベース１２０及び企業情報データベース１３０の両方又はいずれか一方のデータを検索する処理部である。表示画面生成部１０６は、クライアント装置１４０においてデジタル名刺及び企業情報を表示する画面データを生成し、これをクライアント装置１４０に送信する処理部である。デジタル名刺の表示画面は、データベース検索部１０７による検索結果に基づいてデジタル名刺データベース１２０及び企業情報データベース１３０から取得したデータに基づいて生成される。
【００４２】
デジタル名刺データベース１２０は、第１実施形態のものと同様、本発明のデジタル名刺管理システムにおいて取り扱うデジタル名刺に関して、デジタル名刺上に表示される情報やそのレイアウト、デザイン等のデータを記憶している。企業情報データベース１３０は、デジタル名刺とともに表示される企業情報を構成するデータを記憶している。以下では、デジタル名刺データベース１２０及び企業情報データベース１３０をリレーショナル型のデータベース（ＲＤＢ）として構成する例を説明するが、本発明はこの構成に限定されるものではない。
【００４３】
図８は、デジタル名刺データベース１２０に記憶されている名刺データのテーブル構成例を示す図である。図８において、名刺データテーブルは、名刺コード、企業コード、部署名、役職、氏名等のデジタル名刺上に表示される情報をデータフィールドとして含んでいる。名刺データテーブルでは名刺コードが主キーであり、各レコードは名刺コードにより一意に識別される。企業コードは、後に説明する企業情報データベース１３０において企業情報データを特定することができる外部キーである。本実施形態では企業情報に関わるデータ（企業名、企業の住所、所在地、電話番号）は企業情報データベース１３０に記憶されているので、名刺データテーブルにはこれらのデータフィールドを含めず、当該企業情報データを参照するための企業コードのみを含めることとしている。
【００４４】
また、名刺データテーブルの各レコードは、デジタル名刺に表示されるときに適用されるレイアウトデータ及びデザインデータと関連付けられている。レイアウトデータ及びデザインデータは、それぞれデジタル名刺データベース１２０内の別のテーブルに格納されているものとする。
【００４５】
図９は、企業情報データベース１３０に記憶されている企業情報データのテーブル構成例を示す図である。図９において、企業情報データテーブルは、企業コード、企業名、所在地、電話番号、会社概要データ等の情報をデータフィールドとして含んでいる。企業情報データテーブルでは企業コードが主キーであり、各レコードは企業コードにより一意に識別される。会社概要データは、各企業の沿革、役員名、資本金、事業内容など、一般的な企業のプロフィールに関するデータを含んでいる。
【００４６】
図１０において、本実施形態のデジタル名刺データベース１２０の名刺データ等と企業情報データベース１３０の企業情報データとから、デジタル名刺及び企業情報を表示する態様を例示する。図１０に示す画面は、ユーザのクライアント装置１４０の表示画面上に表示されるものであり、デジタル名刺イメージと、デジタル名刺に対する操作ツールと、企業情報表示部と、検索ウィンドウとを含んでいる。デジタル名刺イメージの表示方法については、第１実施形態において説明した通りであり（図４及び図５参照）、デジタル名刺に対する操作ツールについては、従来技術と同様であるので（図１２参照）、ここでは説明を省略する。
【００４７】
本実施形態において、企業情報表示部には、所定の企業情報が所定のテンプレートに従って表示されるようになっている。企業情報表示部のテンプレートは、サーバ装置１００のハードディスク１０４等に記憶されており、表示画面生成部１０６は、企業情報データベース１３０から取得される企業情報データの各データ項目にテンプレートを適用して、図１０に示すような表示画面を生成することができる。このテンプレートは、例えば、ＸＭＬやＨＴＭＬなどのマークアップ記述言語によって、図４及び図５に示すレイアウトデータと同様に構成することができる。尚、通常のＷＥＢサイトと同様に、企業情報表示部の一部にハイパーリンクを含めてもよい。
【００４８】
検索ウィンドウは、ユーザからの検索を受け付けるための入力ツールであり、企業名や個人名などを指定して検索し、該当する企業のデジタル名刺及び企業情報を表示させることができる。個人名を指定して検索した場合には、該当する個人の名刺イメージと、その勤務先の企業情報とが表示される。企業名を特定して検索した場合には、該当する企業の代表者の名刺イメージと企業情報とが表示される。あるいは、事業部ごと、支社ごと、地区ごとに異なる表示画面を生成してもよく、この場合、事業部、支社、地区等の情報と、その代表者の名刺イメージとが表示されるようにすることができる。また、キーワード検索の場合にも、そのキーワードに該当する企業又は企業の事業部等の企業情報をその代表者の名刺イメージとともに表示することができる。尚、図１０に示す検索ウィンドウは、検索方式を例示しているに過ぎず、他の検索方式（例えば、業種による検索や企業規模による検索）を採用することももちろん可能である。
【００４９】
[第３実施形態]
次に、本発明のデジタル名刺管理システムの第３実施形態について説明する。本実施形態において、サーバ装置、データベース及びクライアント装置は、第１実施形態（図１〜図３参照）又は第２実施形態（図６〜図９参照）と同様に構成されるものとする。本実施形態は、デジタル名刺の表示態様において特徴を有するものである。
【００５０】
図１１は、本実施形態においてクライアント装置の表示画面に表示されるデジタル名刺イメージを示す図である。図１１には、第１実施形態及び第２実施形態と同様のデジタル名刺が名刺ホルダに保持された状態で表示されている。この名刺ホルダは、一般的にローロデックス（米国ＲＯＬＯＤＥＸ社製の名刺ホルダ）として知られているものであり、本実施形態のデジタル名刺管理システムは、これと同等の機能をコンピュータ画面上で実現するものである。
【００５１】
図１１において、画面上の名刺ホルダは、デジタル名刺を表示する第１の表示面１１１０と第２の表示面１１２０とを有しており、さらに、デジタル名刺の表示を切り替える回転つまみ１１３０を備えている。第１の表示面１１１０及び第２の表示面１１２０におけるデジタル名刺の表示方法については、第１実施形態において説明した通りである（図４及び図５参照）。回転つまみ１１３０は、一般的なＧＵＩ部品として適当に設計することができる。
【００５２】
図１１に示す画面において、ユーザは、クライアント装置１４０の入力装置（マウス等）を操作して、画面上の回転つまみ１１３０を回転させることにより、デジタル名刺の表示を切り替えることができる。また、このデジタル名刺ホルダとともに、図１０に示すようなデジタル名刺の操作ツールや、検索ウィンドウを表示するようにしてもよい。あるいは、デジタル名刺ホルダの所定の部位をクリックすることにより、第１の表示面１１１０又は第２の表示面１１２０に表示されているデジタル名刺の発行元の企業情報が表示されるようになっていてもよい。尚、図１１に示す例では、第１の表示面１１１０と第２の表示面１１２０とで異なる人物のデジタル名刺を表示しているが、例えば、第１の表示面１１１０及び第２の表示面１１２０に、同一人物の名刺の表面及び裏面をそれぞれ表示することもできる。
【００５３】
以上、本発明のデジタル名刺管理システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。特に、サーバ装置の内部構成や各機能部の実装形態、データベースのスキーマやテーブル構成、画面表示データの処理方式、ユーザ向けＧＵＩなどは、当業者が一般的に知られているソフトウェア技術を適宜応用して構築することができる事項である。
【産業上の利用可能性】
【００５４】
本発明のデジタル名刺管理システムは、インターネット、ＷＡＮ、ＬＡＮ、ＶＰＮ等を通じてクライアント装置上にデジタル名刺を表示させる利用形態の他、単体のデジタル名刺管理装置として利用することも可能である。
【図面の簡単な説明】
【００５５】
【図１】本発明のデジタル名刺管理システムの第１実施形態の全体構成を示す概略図である。
【図２】図１に示すデジタル名刺管理システムのサーバ装置の内部構成を概略的に示す機能ブロック図である。
【図３】図１に示すデジタル名刺管理システムのデジタル名刺データベースに記憶されている名刺データのテーブル構成例を示す図である。
【図４】図３に示すデジタル名刺データベースの名刺データ等からデジタル名刺の表示画面を生成する方法を模式的に示す図である。
【図５】図３に示すデジタル名刺データベースの名刺データ等からデジタル名刺の表示画面を生成する方法を模式的に示す図である。
【図６】本発明のデジタル名刺管理システムの第２実施形態の全体構成を示す概略図である。
【図７】図６に示すデジタル名刺管理システムのサーバ装置の内部構成を概略的に示す機能ブロック図である。
【図８】図６に示すデジタル名刺管理システムのデジタル名刺データベースに記憶されている名刺データのテーブル構成例を示す図である。
【図９】図６に示すデジタル名刺管理システムの企業情報データベースに記憶されている企業情報データのテーブル構成例を示す図である。
【図１０】図８に示すデジタル名刺データベースの名刺データ等と、図９に示す企業情報データベースの企業情報データとから、デジタル名刺及び企業情報を表示する態様を例示する図である。
【図１１】本発明のデジタル名刺管理システムの第１実施形態において、クライアント装置の表示画面に表示されるデジタル名刺イメージを示す図である。
【図１２】企業情報を名刺イメージとともに表示するＷＥＢサイト「企業名片」における表示画面の一例を示す図である。
【符号の説明】
【００５６】
１００  サーバ装置
１０１  主制御部
１０２  ＲＯＭ
１０３  ＲＡＭ
１０４  ハードディスク
１０５  ネットワークインタフェース
１０６  表示画面生成部
１０７  データベース検索部
１０８  データベース制御部
１０９  操作入力部
１２０  デジタル名刺データベース
１３０  企業情報データベース
１４０  クライアント装置
１１１０  第１の表示面
１１２０  第２の表示面
１１３０  回転つまみ
【図１】
2005242885.tif 000003
【図２】
2005242885.tif 000004
【図３】
2005242885.tif 000005
【図４】
2005242885.tif 000006
【図５】
2005242885.tif 000007
【図６】
2005242885.tif 000008
【図７】
2005242885.tif 000009
【図８】
2005242885.tif 000010
【図９】
2005242885.tif 000011
【図１０】
2005242885.tif 000012
【図１１】
2005242885.tif 000013
【図１２】
2005242885.tif 000014